【手続補正書】
【提出日】平成26年3月7日(2014.3.7)
【手続補正１】
【補正対象書類名】特許請求の範囲
【補正対象項目名】請求項１１
【補正方法】変更
【補正の内容】
【請求項１１】
前記多孔質微粒子では、細孔内に水分子が充填されている
請求項７に記載の駆動装置。
【手続補正２】
【補正対象書類名】明細書
【補正対象項目名】００２７
【補正方法】変更
【補正の内容】
【００２７】
連結部材１５１Ａ，１５１Ｂ，１５２Ａ，１５２Ｂはそれぞれ、ポリマーアクチュエータ素子１３１，１３２の各他端と、接続部１４Ａの端部との間を互いに連結（接続）するための部材である。具体的には、連結部材１５１Ａ，１５１Ｂはそれぞれ、接続部１４Ａの下端部とポリマーアクチュエータ素子１３１の他端との間を連結し、連結部材１５２Ａ，１５２Ｂはそれぞれ、接続部１４Ａの上端部とポリマーアクチュエータ素子１３２の他端との間を連結するようになっている。これらの連結部材１５１Ａ，１５１Ｂ，１５２Ａ，１５２Ｂはそれぞれ、例えばポリイミドフィルム等のフレキシブルフィルムからなり、各ポリマーアクチュエータ素子１３１，１３２と同等以下（好ましくは同一以下）の剛性（曲げ剛性）を有する柔軟な材料からなることが望ましい。これにより、連結部材１５１Ａ，１５１Ｂ，１５２Ａ，１５２Ｂがポリマーアクチュエータ素子１３１，１３２の湾曲方向とは逆方向に湾曲する自由度が生まれ、ポリマーアクチュエータ素子１３１，１３２と連結部材１５１Ａ，１５１Ｂ，１５２Ａ，１５２Ｂとからなる片持ち梁における断面形状が、Ｓ字状の曲線を描くようになる。その結果、接続部１４ＡがＺ軸方向に沿って平行移動することが可能となり、保持部１４Ｂ（およびレンズ４０）が支持部材１１に対して平行状態を保ったまま、Ｚ軸方向に駆動されるようになる。なお、上記した剛性（曲げ剛性）としては、例えばバネ定数を用いることができる。
【手続補正３】
【補正対象書類名】明細書
【補正対象項目名】００３２
【補正方法】変更
【補正の内容】
【００３２】
ここで、図７に断面図（Ｚ−Ｘ断面図）で示したように、ポリマーアクチュエータ素子１３１では、電極膜５２Ａが、下部固定用部材１２Ｄ側の固定電極１３０Ｂと電気的に接続され、電極膜５２Ｂが、中央固定用部材１２Ｃ側の固定電極１３０Ａと電気的に接続されている。一方、ポリマーアクチュエータ素子１３２では、電極膜５２Ａが、中央固定用部材１２Ｃ側の固定電極１３０Ａと電気的に接続され、電極膜５２Ｂが、上部固定用部材１２Ｕ側の固定電極１３０Ｂと電気的に接続されている。なお、図７中に図示はしていないが、下部固定用部材１２Ｄ側の固定電極１３０Ｂから上部固定用部材１２Ｕ側の固定電極１３０Ｂまでの各部材・電極はそれぞれ、図４中に示した押え部材１６（板ばね）によって一定の圧力で挟み込まれるようにして固定されている。これにより、大きな力を与えてもポリマーアクチュエータ素子１３１，１３２を破壊することがなく、これらのポリマーアクチュエータ素子１３１，１３２が変形した際も安定して電気的な接続が可能となる。
【手続補正４】
【補正対象書類名】明細書
【補正対象項目名】００５８
【補正方法】変更
【補正の内容】
【００５８】
ここで、そのような特性劣化としては、具体的には、まず、低湿度環境下（乾燥した環境下）における応答速度の低下が挙げられる。これは、イオン交換樹脂におけるイオン伝導度が、低湿度環境下において低下してしまうことに起因する。この対策としては、イオン交換樹脂の乾燥を防ぐために、ポリマーアクチュエータ素子全体を不透湿フィルムでラミネートしたり、ポリマーアクチュエータ素子を水溶液中で使用する手法などが考えられる。ただし、そのような手法では、ポリマーアクチュエータ素子の動作が阻害されたり、使用環境が制限されたりする問題がある。また、周囲の環境に応じたポリマーアクチュエータ素子の特性劣化としては、その他には、高温環境下での保存後における変位量（変形量）の低下が挙げられる。これは、イオン交換樹脂内にある官能基の脱水反応による変性であると考えられている（Shigeaki Morita and Kuniyuki Kitagawa, "Temperature-dependent structure changes in Nafion ionomer studied by PCMW2D IR correlation spectroscopy", Journal of Molecular Structure, ９７４（２０１０）, pp５６−５９参照）。
【手続補正５】
【補正対象書類名】明細書
【補正対象項目名】００６１
【補正方法】変更
【補正の内容】
【００６１】
（実施例１）
図１０（Ａ），（Ｂ）はそれぞれ、実施例１および比較例に係る実験結果を表したものである。具体的には、図１０（Ａ）では、上記した比較例および各実施例（保湿剤として、主に化学吸着または物理吸着の作用を有する水分子吸着剤を用いた実施例）における、保湿剤の種類、材料名、保湿剤の添加量（含有量）、およびポリマーアクチュエータ素子の平均応答速度（比較例を基準（１００％）としたときの相対値）を、それぞれ示している。また、図１０（Ｂ）では、比較例（保湿剤なし）および実施例（保湿剤として、添加量０．５重量％のゼオライトを用いた例）の各々について、相対速度と最大速度（初速度）との関係を示している。なお、ここでは、平均応答速度および最大速度としては、相対湿度＝３０％の環境下において、ポリマーアクチュエータ素子に対して１Ｖの電圧を印加したときの、０．５秒間における平均応答速度および初速度を用いた。なお、この実施例１では、電極膜５２Ａ，５２Ｂおよび高分子化合物膜５１のうちの電極膜５２Ａ，５２Ｂにおいて、選択的に保湿剤（水分子吸着剤）を用いた。
【手続補正６】
【補正対象書類名】明細書
【補正対象項目名】００６６
【補正方法】変更
【補正の内容】
【００６６】
また、ある湿度の環境下において、保湿剤によってポリマーアクチュエータ素子内に保持される水分子の割合Ｔ（ポリマーアクチュエータ素子の重量を１としたときの水分子の重量）は、前述したイオン交換樹脂における水分子吸着剤の含有量Ｗ、水分子吸着剤における含水率Ａを用いて、以下の（３）式により規定される。
Ｔ＝Ａ×Ｗ  ……（３）
【手続補正７】
【補正対象書類名】明細書
【補正対象項目名】００７０
【補正方法】変更
【補正の内容】
【００７０】
（実施例３）
図１３（Ａ），（Ｂ）はそれぞれ、実施例３および比較例に係る実験結果を表したものである。具体的には、図１３（Ａ）では、サンプル番号＝１（比較例），２，４，５（実施例）における、前述したＥＷ値、電極膜５２Ａ，５２Ｂへの保湿剤の添加量（含有量）、高分子化合物膜５１への保湿剤の添加量、および、高温（８５℃）保存時におけるポリマーアクチュエータ素子の変位量が２０％低下するまでの経過日数を、それぞれ示している。また、図１３（Ｂ）では、上記した各サンプル番号の例について、上記した経過日数を示している。なお、この実施例３では、保湿剤（水分子吸着剤）としてゼオライトを用いた。
【手続補正８】
【補正対象書類名】明細書
【補正対象項目名】００７２
【補正方法】変更
【補正の内容】
【００７２】
（実施例４）
図１４（Ａ），（Ｂ）および図１５はそれぞれ、実施例４および比較例に係る実験結果を表したものである。具体的には、図１４（Ａ），（Ｂ）では、上記したサンプル番号＝１（比較例），２〜５（実施例）における、ＥＷ値、電極膜５２Ａ，５２Ｂへの保湿剤の添加量（含有量）、高分子化合物膜５１への保湿剤の添加量、および、高温（８５℃，相対湿度＝５０％）の環境下での保存（１０００時間）後におけるポリマーアクチュエータ素子の変位量（高温保存前の変位量＝１００％とする相対値）を、それぞれ示している。また、図１５では、サンプル番号＝３（ＥＷ値＝１０５０［ｇ／ｅｑ］），５（ＥＷ値＝７８０［ｇ／ｅｑ］）の各実施例における、高温保存の経過時間と高温保存後の変位量との関係を示している。なお、この実施例４においても、保湿剤（水分子吸着剤）としてゼオライトを用いた。
【手続補正９】
【補正対象書類名】明細書
【補正対象項目名】００８５
【補正方法】変更
【補正の内容】
【００８５】
アノード側板状部材６２０およびカソード側板状部材６１０はそれぞれ、例えば厚み１ｍｍ程度のアルミニウム板またはステンレス鋼板により構成されている。発電部６０とカソード側板状部材６１０との間には、湿分保持のため、例えば、ポリエチレン等の多孔質膜６１３が設けられている。発電部６０とアノード側板状部材６２０との間には、例えば、多孔質フッ素樹脂およびポリエステルよりなる気液分離膜６２３が設けられている。アノード側板状部材６２０は、燃料Ｆ（液体燃料）を流通させるための貫通孔６２１と、ガス排出部としての溝６２２とを有している。この貫通孔６２１は、アノード電極６２に対向する面から反対側の面に達し、燃料気化室６５に連通している。アノード側板状部材６２０の外側には、各単位セルに対応して燃料供給孔６４が設けられており、燃料ポンプの供給動作によって燃料タンクから輸送された燃料Ｆ（液体燃料）が、この燃料供給孔６４を通じて発電部６０側へ注入されるようになっている。この燃料供給孔６４およびアノード側板状部材６２０の間には、燃料Ｆを気化させるための燃料気化室６５（燃料気化部）が設けられている。また、カソード側板状部材６１０は、酸化剤としての空気（酸素）を通過させるため、カソード電極６１に対向する面から反対側の面に達する貫通孔６１１を有している。
【手続補正１０】
【補正対象書類名】明細書
【補正対象項目名】００８７
【補正方法】変更
【補正の内容】
【００８７】
なお、本技術は以下のような構成を取ることも可能である。
（１）
１または複数のポリマーアクチュエータ素子を備え、
前記ポリマーアクチュエータ素子が、保湿剤を含有するイオン交換樹脂を用いて構成されている
駆動装置。
（２）
前記ポリマーアクチュエータ素子は、
一対の電極膜と、
前記一対の電極膜の間に挿設された高分子膜と
を有し、
前記一対の電極膜および前記高分子膜のうちの少なくとも一層に、前記イオン交換樹脂が用いられている
上記（１）に記載の駆動装置。
（３）
前記一対の電極膜および前記高分子膜の各層に、前記イオン交換樹脂が用いられている
上記（２）に記載の駆動装置。
（４）
前記高分子膜における前記保湿剤の含有量が、前記電極膜における前記保湿剤の含有量よりも多くなっている
上記（３）に記載の駆動装置。
（５）
前記イオン交換樹脂が、前記高分子膜において選択的に用いられている
上記（３）に記載の駆動装置。
（６）
前記保湿剤が、水分子吸着剤からなる
上記（１）ないし（５）のいずれか１項に記載の駆動装置。
（７）
前記水分子吸着剤が、多孔質微粒子を用いて構成されている
上記（６）に記載の駆動装置。
（８）
前記多孔質微粒子が、ゼオライト、シリカおよび炭素のうちの少なくとも１種を含んで構成されている
上記（７）に記載の駆動装置。
（９）
前記イオン交換樹脂における前記ゼオライトの含有量が、０．２重量％以上かつ１．０重量％以下である
上記（８）に記載の駆動装置。
（１０）
前記イオン交換樹脂における前記ゼオライトの含有量が、０．５重量％である
上記（９）に記載の駆動装置。
（１１）
前記多孔質微粒子では、細孔内に水分子が充填されている
上記（７）ないし（１０）のいずれか１項に記載の駆動装置。
（１２）
前記イオン交換樹脂における前記水分子吸着剤の含有量をＷ、前記水分子吸着剤における含水率をＡとしたとき、Ｗ＞（０．０００５／Ａ）を満たす
上記（６）ないし（１１）のいずれか１項に記載の駆動装置。
（１３）
前記イオン交換樹脂におけるイオン交換当量質量（ＥＷ値）が、８００［ｇ／ｅｑ］以下である
上記（６）ないし（１２）のいずれか１項に記載の駆動装置。
（１４）
前記水分子吸着剤が、親水性有機化合物からなる
上記（６）ないし（１３）のいずれか１項に記載の駆動装置。
（１５）
前記水分子吸着剤が、潮解性物質からなる
上記（６）ないし（１３）のいずれか１項に記載の駆動装置。
（１６）
レンズを駆動するレンズ駆動装置として構成されている
上記（１）ないし（１５）のいずれか１項に記載の駆動装置。
（１７）
レンズと、
前記レンズを駆動する駆動装置と
を備え、
前記駆動装置は、１または複数のポリマーアクチュエータ素子を有し、
前記ポリマーアクチュエータ素子が、保湿剤を含有するイオン交換樹脂を用いて構成されている
レンズモジュール。
（１８）
レンズと、
前記レンズにより結像されてなる撮像信号を取得する撮像素子と、
前記レンズを駆動する駆動装置と
を備え、
前記駆動装置は、１または複数のポリマーアクチュエータ素子を有し、
前記ポリマーアクチュエータ素子が、保湿剤を含有するイオン交換樹脂を用いて構成されている
撮像装置。
（１９）
１または複数の発電部を備え、
前記発電部は、酸素電極と、燃料電極と、前記酸素電極および前記燃料電極の間に挿設された電解質膜とを有し、
前記電解質膜が、保湿剤を含有するイオン交換樹脂を用いて構成されている
燃料電池。
（２０）
保湿剤を含有してなる
イオン交換樹脂。